(57)【特許請求の範囲】
【請求項１】
お香を上面に載置して使用するお香用燃焼マットであって、
アクリル繊維又はピッチ繊維を焼成化させた耐炎繊維からなることを特徴とするお香用燃焼マット。
【請求項２】
やに透過防止材を下面に設けたことを特徴とする請求項１に記載のお香用燃焼マット。
【請求項３】
やに透過防止材がアルミ箔であることを特徴とする請求項２に記載のお香用燃焼マット。
【発明の詳細な説明】
【０００１】
【産業上の利用分野】
本発明は、お香、線香あるいは蚊取り線香等の薫物を燃焼させるために使用される薫物用燃焼マットに関するものである。
【０００２】
【従来の技術】
近時、部屋の臭いを消すとともに芳香性に優れた香りを室内に充満させるためのお香等が多用されている。このお香の燃焼は、従来、つぎの手段によって行われている。
１）陶器や金属などからなるお香立皿に立穴を作り、この立穴に棒状のお香を立てて燃焼させる。
２）陶器や金属等の容器に円錐形の突起物を作るとともに、お香を渦巻き状などにし、このお香を突起物の上に載せて燃焼させる。
３）香炉灰を入れた香炉に着火した香炭を入れ、香炭に灰をかぶせ、お香末を適量投入して燃焼させる。
４）石綿、ストンウールで成形した燃焼マットの上でお香を燃焼させる。
【０００３】
【発明が解決しようとする課題】
しかし、従来の１）２）の手段では、立穴にお香を立てたり、突起物の上にお香を載せるため、お香が不安定であり、倒れて途中で消えたり、立てる際にお香が折れたりするおそれがあり、しかも立穴の大きさと合致するお香に作らなければならないためお香の大きさ形状に制約を受ける欠点があるとともに、倒れて火事の原因となる恐れもあった。また陶器や金属と接触している部分で火が消えて最後まで燃焼させることができない原因ともなっている。
【０００４】
３）の手段では香末にして燃焼させなければならず、適量ずつ燃焼させるため投入ごとに人手を要する欠点があった。
また４）の石綿、ストーンウールからなる燃焼マットは、石綿が発癌性物質であるとの指摘があり、健康を害するおそれがあるとともに、図３に示すように、１回の使用で、燃焼マット６の表面に焼け跡７が残って見場が悪くなるという問題があった。
【０００５】
【課題を解決するための手段】
本発明は、上記課題に鑑みてなされたもので、お香を燃焼させるときに安定して置くことができ、しかも健康を害するおそれがなく、さらに見場を損なうことのないなど、薫物の燃焼マットとして優れたものを提供するすることを目的としている。
発明者はこのため各種の材料によってお香を置く台あるいはマットを試作、試験した結果、本発明に到達したものである。
【０００６】
本発明は、アクリル繊維又はピッチ繊維を焼成化させた耐炎繊維からなることを特徴とする薫物用燃焼マットである。
そして、この薫物用燃焼マット本体の一面にやに透過防止材を設けた薫物用燃焼マットである。
さらに、このやに透過防止材がアルミ箔である薫物用燃焼マットである。
【０００７】
【作用】
本発明は、燃焼マットが、アクリル繊維又はピッチ繊維を焼成化させた耐炎繊維からなるので、燃焼マットの上でお香を燃焼させた場合、お香以外の異臭を発生したり、ガスを発生させたりすることがなく、しかも、お香の燃焼跡がつかない。さらに、量産化に適するもので、しかも、任意の平面形状に形成することができるものである。
【０００８】
そして、この薫物用燃焼マットの一面にやに透過防止材を設けていることにより、このやに透過防止材を下側にして置き、その上にお香を置いて燃焼したとき、やにが薫物用燃焼マットから下方に漏れ出すのを防止する。
さらに、やに透過防止材がアルミ箔であることにより、マットの成形加工を、アクリル繊維又はピッチ繊維を焼成化させた耐炎繊維とともに、一体に打ち抜いて形成することができるとともに、マットを薄く形成することを可能とするものである。
【０００９】
【実施例】
以下、本発明の一実施例について、図を参照しながら説明する。
図１は、本実施例に係る薫物用燃焼マットの斜視図、図２は、図１のII−II線に沿った断面図である。
【００１０】
この薫物用燃焼マット１は、マット本体２がアクリル繊維又はピッチ繊維を焼成化させた耐炎繊維から形成され、略楕円形に打ち抜かれている。本実施例では、株式会社フジコー製造のアクリル焼成繊維（耐炎繊維）からなる「フジロンＦＢ」（商標）を使用し、下面２ｂにアルミ箔のやに透過防止材３を設けており、上面２ａにお香を載置するようになっている。
【００１１】
この薫物用燃焼マット１の製作には、打ち抜き具を用いて予め一定の厚さに形成してある基材を打ち抜く。この際、アクリル繊維又はピッチ繊維を焼成化させた耐炎繊維からなるマット本体２は柔らかい性質を有しているので、お香の形状に応じて多様な形状に成形できるうえ、一度に多量の打ち抜きが可能であり大量生産もできる。
【００１２】
また、やに透過防止材３をアルミ箔をあらかじめ基材に接着しておくことにより、マット本体２の外形に合わせて、マット本体２とともに容易にカットすることができ、簡単に薫物用燃焼マット１が製作される。
このように製作された薫物用燃焼マット１は、容器５の載置面５ａに載置された後、マット本体２の上面２ａに点火したお香４を置いて使用される。このお香４は、略Ｃ字状に形成されたものを用いているが、多様な形状のものを製作することが可能となる。
【００１３】
また、容器５は、本例では略方形に形成されているが、薫物用燃焼マット１の形状に適したものを用いる。
この薫物用燃焼マット１は、アクリル繊維又はピッチ繊維を焼成化させた耐炎繊維であることから、お香を置いて燃やしたとき、お香の火が消えることなく燃焼状態が継続し、不要ガスが発生する問題もない。また、高温に対する耐性に優れ、表面にお香４の焼け跡が残ることもない。
【００１４】
さらに、お香４を置いて燃やしたときに生じるやにが薫物用燃焼マット１に設けたやに透過防止材３により阻止され、薫物用燃焼マット１から外方に漏れ出すことはないから、薫物用燃焼マット１および容器５を繰り返し使用することができる。
【００１５】
なお、上記実施例においては、薫物用燃焼マット１を略楕円形にしたがお香４の形状に応じたものを製作できるのは勿論である。また、やに透過防止材３を設けることなくアクリル繊維又はピッチ繊維を焼成化させた耐炎繊維のみで製作し、使用に供することもできる。
【００１６】
【発明の効果】
本発明は、マットが、アクリル繊維又はピッチ繊維を焼成化させた耐炎繊維からなるので、マットの上でお香を燃焼させた場合、お香以外の異臭を発生することがないので、お香の微妙な芳香に影響を与えることがなかった。しかも、何らのガスを発生させたりすることがないので人体への悪影響のおそれもない。
【００１７】
しかも、お香の燃焼跡がつかないので、途中でお香の位置を変えても、燃焼跡によって美感を損なうおそれがなく、お香を設置する用途範囲も拡大する。
さらに、量産化に適するもので、安価に提供することを可能とし、しかも、任意の平面形状に形成することができるものであるので、お香の形状の多様化を可能とするものである。
【００１８】
また、この薫物用燃焼マットの一面にやに透過防止材を設けている場合は、このやに透過防止材を下側にして置き、その上にお香を置いて燃焼することによって、やにが薫物用燃焼マットから下方に漏れ出すのを防止することができ、お香の燃焼によって容器５が汚れるのを防止でき、薫物用燃焼マットの繰り返し使用を容易にするものである。
【００１９】
さらに、やに透過防止材がアルミ箔であることにより、マットの成形加工を、アクリル繊維又はピッチ繊維を焼成化させた耐炎繊維とともに、一体に打ち抜いて形成することができるので、お香の多様化に優れるとともに、マットを薄く形成することができるものである。
そして、本発明により成形した薫物用燃焼マットと、従来の製品との比較試験を行ったところ、図４の結果を得た。
【００２０】
試験では、ステンレスネット製のマット、硝子繊維製のマット及び従来使用されていた石綿加工品のマットと比較した。本発明の実施例としては、アクリル焼成繊維（耐炎繊維）からなるものであって厚さの異なるものについて試験した。
その結果、燃焼性については、ステンレスネット製のものにやや難点があったのに対し、本発明の実施例は厚さ１ｍｍのものにおいても全く支障なく燃焼するなどいずれも良好であった。
【００２１】
加工性については、ステンレスネット製のものが困難であるとともに、石綿加工品のものにおいてもやや困難な点があったのに対し、本発明の実施例はいずれも良好で、加工容易なものであった。
美感については、まず未使用の状態では、ステンレスネット製のものがお香の燃焼マットとしてやや難点のあるものであったが、本発明の実施品はいずれも美感を損なうことがなかった。
【００２２】
また使用済状態において検討したところ、ステンレスネット製のものはやや汚れがある程度であったが、硝子繊維製のもの、および石綿加工品のものは、１回の使用で不燃性物質が燃焼マットに付着して燃焼跡がはっきりのこるので、美感を損ないお香の燃焼マットとしては再使用できないものであった。
【００２３】
価格については、本発明の実施例のものに比べ、石綿加工品のものでも、２倍以上、硝子繊維製のものでは３倍以上、ステンレスネット製のものでは、１０倍以上のコストがかかり、安価に提供する点において本発明のものが優れていた。
取扱性は、比較例のいずれもやや難点を有しているのに対し、本発明の実施例のものは、いずれも、何ら難なく取り扱うことができ、優れていた。
【００２４】
さらに、硝子繊維製のもの、石綿繊維製のものは、使用回数１０回以下で再使用困難な状態になったが、本発明の実施例のものは、いずれも３０回使用してもまだ繰り返して使用できる状態であり、繰り返し使用においてすぐれた結果を奏するものであった。
また、ピッチ繊維を焼成化させた耐炎繊維からなる薫物用燃焼マットによっても同様の効果が得られた。
【図面の簡単な説明】
【図１】本発明の一実施例を示す薫物用燃焼マットの斜視図である。
【図２】図１のII−II線に沿った断面図である。
【図３】従来のお香用マットを示す斜視図である。
【図４】薫物の燃焼マットとしての試験比較表である。
【符号の説明】
１  薫物用燃焼マット
２  本体
【図１】
0003554014.tif 000002
【図２】
0003554014.tif 000003
【図３】
0003554014.tif 000004
【図４】
0003554014.tif 000005